(57)【特許請求の範囲】
【請求項１】
短辺のサイズ及び長辺のサイズが複数種類の基板の内のいずれか１枚の基板の部品実装面を下向きに支持する基板保持枠と、
前記基板保持枠の上面に設けられ、前記基板の反部品実装面側を覆うカバーと、を具備し、
前記基板保持枠は、前記複数種類の基板の内、最大サイズの基板が挿入可能に形成され、
前記基板保持枠の長辺の内壁面に設けられ、前記基板の長辺の一部を挟み込んで保持する基板保持部と、
前記基板保持枠の一方の短辺から他方の短辺に向かって延びており、前記基板保持枠の一方の長辺の内壁面に前記最大サイズの基板よりも小さい基板の一方の長辺を当接させたときに、他方の長辺に対応する位置に設けられた縦桟ガイドと、
前記基板保持枠の一方の長辺から他方の長辺に向かって延びており、前記基板保持枠の一方の短辺の内壁面に前記最大サイズの基板よりも小さい基板の一方の短辺を当接させたときに、他方の短辺に対応する位置に設けられた横桟ガイドと、
固定面及びネジ穴を有する基板押さえ具と、を備え、
前記基板押さえ具は、
前記基板保持枠の少なくとも長辺または短辺に形成されたネジ穴にネジ止めされ、前記固定面と、少なくとも前記縦桟ガイドまたは前記横桟ガイドとで、前記基板を挟み込むことにより固定する
ことを特徴とする空気調和機の室外機。
【請求項２】
前記縦桟ガイド及び前記横桟ガイドは、
前記基板を前記基板保持枠に取り付けた際に、前記基板押さえ具と対向する部分が反部品実装面と当接する高さを有する
ことを特徴とする請求項１に記載の空気調和機の室外機。
【請求項３】
前記縦桟ガイド及び前記横桟ガイドは、
前記基板を前記基板保持枠に取り付けた際に、前記基板の長辺または短辺に沿って反部品実装面と当接する高さを有する
ことを特徴とする請求項１に記載の空気調和機の室外機。
【請求項４】
前記基板保持枠はネジ穴を２箇所以上有し、
前記基板はネジ穴を有し、
前記基板を、前記基板保持枠のネジ穴にネジ止めし、
前記基板押さえ具及びネジにて前記基板を固定する
ことを特徴とする請求項１〜３のいずれか一項に記載の空気調和機の室外機。
【請求項５】
前記基板押さえ具は、前記固定面側に基板位置決めリブを有し、前記最大サイズの基板以外の基板を前記基板保持枠に取り付ける場合において、
前記基板押さえ具は、
前記基板保持枠の少なくとも長辺または短辺に形成されたネジ穴にネジ止めされ、前記固定面と、少なくとも前記縦桟ガイドまたは前記横桟ガイドとで、前記基板を挟み込むことにより固定し、さらに、前記基板位置決めリブが前記基板の長辺または短辺の一部と当接し、前記基板の長手方向または短手方向の動きを抑制する
ことを特徴とする請求項１〜４のいずれか一項に記載の空気調和機の室外機。
【請求項６】
前記最大サイズの基板を前記基板保持枠に取り付ける場合において、
前記基板押さえ具は、
前記基板保持枠の少なくとも長辺または短辺に形成されたネジ穴にネジ止めされ、前記固定面と、前記基板保持枠の角部とで前記基板の一角を挟み込むことにより固定し、さらに、前記基板位置決めリブが前記基板の短辺の一部と当接し、前記基板の長手方向の動きを抑制する
ことを特徴とする請求項５に記載の空気調和機の室外機。
【請求項７】
前記基板押さえ具は、
ツマミを有する
ことを特徴とする請求項１〜６のいずれか一項に記載の空気調和機の室外機。
【請求項８】
前記基板は、
前記縦桟ガイド及び前記横桟ガイドの前記基板の反部品実装面と当接する高さを有する部分と対向する位置が、両面共に部品実装不可範囲である
ことを特徴とする請求項２〜７のいずれか一項に記載の空気調和機の室外機。
【請求項９】
前記基板は、
前記縦桟ガイド及び前記横桟ガイドと対向する位置が、両面共に部品実装不可範囲である
ことを特徴とする請求項２〜７のいずれか一項に記載の空気調和機の室外機。
【発明の詳細な説明】
【技術分野】
【０００１】
本発明は、空気調和機の室外機に関し、特に室外機の基板保持枠に関するものである。
【背景技術】
【０００２】
従来の空気調和機の室外機において、基板は、短辺のサイズが一定で長辺のサイズが複数種類の基板の内のいずれかとし、基板保持枠の内壁面は、複数種類の基板の内、最大のサイズの基板が挿入可能に形成され、基板保持枠の長辺側の内壁に設けられ、複数種類の基板の長辺側の端部のいずれも固定可能な基板固定部と、基板保持枠の一方の短辺の内壁面に最大のサイズよりも小さい基板の一方の短辺を合わせたときに、他方の短辺に対応する位置に基板保持枠の長辺の両内壁面から基板の反実装面側に張り出させた桟と、を備え、基板は、その反実装面側が桟の下面に当接して配設され、桟と当接する反実装面側に実装素子の足が突出しないように実装部品が配設されるようにしたものがある（例えば、特許文献１参照）。
【先行技術文献】
【特許文献】
【０００３】
【特許文献１】特開２００８−８９１９１号公報（例えば、［０００６］参照）
【発明の概要】
【発明が解決しようとする課題】
【０００４】
特許文献１に記載の基板保持枠は、基板の短辺のサイズが一定である場合にのみ対応しており、短辺のサイズが異なる基板は取り付けることができないという課題があった。
【０００５】
本発明は、以上のような課題を解決するためになされたもので、長辺のサイズだけでなく、短辺のサイズが異なる基板であっても同じ基板保持枠に取り付けることができる空気調和機の室外機を提供することを目的とする。
【課題を解決するための手段】
【０００６】
本発明に係る空気調和機の室外機は、短辺のサイズ及び長辺のサイズが複数種類の基板の内のいずれか１枚の基板の部品実装面を下向きに支持する基板保持枠と、前記基板保持枠の上面に設けられ、前記基板の反部品実装面側を覆うカバーと、を具備し、前記基板保持枠は、前記複数種類の基板の内、最大サイズの基板が挿入可能に形成され、前記基板保持枠の長辺の内壁面に設けられ、前記基板の長辺の一部を挟み込んで保持する基板保持部と、前記基板保持枠の一方の短辺から他方の短辺に向かって延びており、前記基板保持枠の一方の長辺の内壁面に前記最大サイズの基板よりも小さい基板の一方の長辺を当接させたときに、他方の長辺に対応する位置に設けられた縦桟ガイドと、前記基板保持枠の一方の長辺から他方の長辺に向かって延びており、前記基板保持枠の一方の短辺の内壁面に前記最大サイズの基板よりも小さい基板の一方の短辺を当接させたときに、他方の短辺に対応する位置に設けられた横桟ガイドと、固定面及びネジ穴を有する基板押さえ具と、を備え、前記基板押さえ具は、前記基板保持枠の少なくとも長辺または短辺に形成されたネジ穴にネジ止めされ、前記固定面と、少なくとも前記縦桟ガイドまたは前記横桟ガイドとで、前記基板を挟み込むことにより固定するものである。
【発明の効果】
【０００７】
本発明に係る空気調和機の室外機によれば、基板押さえ具と基板保持枠の縦桟とで基板を挟み込んで固定できるため、長辺のサイズだけでなく、短辺のサイズが異なる基板であっても同じ基板保持枠に取り付けることができる。
【図面の簡単な説明】
【０００８】
【図１】本発明の実施の形態１に係る空気調和機の室外機の内部を示す斜視図である。
【図２】本発明の実施の形態１に係る空気調和機の室外機の電気品箱の構成図である。
【図３】本発明の実施の形態１に係る空気調和機の室外機の基板保持枠の平面図である。
【図４】本発明の実施の形態１に係る空気調和機の室外機の基板保持枠に基板を配置した図である。
【図５】本発明の実施の形態１に係る空気調和機の室外機の基板保持枠に基板を配置した図である。
【図６】本発明の実施の形態１に係る空気調和機の室外機の基板保持枠に基板を配置した図である。
【図７】本発明の実施の形態１に係る空気調和機の室外機の基板保持枠に基板を配置した図である。
【図８】本発明の実施の形態１に係る空気調和機の室外機の基板保持枠に基板を取り付ける際に用いられる基板押さえ具の斜視図及び側面図である。
【図９】本発明の実施の形態１に係る空気調和機の室外機の基板保持枠に基板を取り付けた図である。
【図１０】図９の要部拡大図である。
【図１１】図９のＺ−Ｚ断面図である。
【図１２】本発明の実施の形態１に係る空気調和機の室外機の電気品箱の断面図である。
【図１３】本発明の実施の形態１に係る空気調和機の室外機の基板保持枠に基板を配置する際の概略図である。
【図１４】本発明の実施の形態２に係る空気調和機の室外機の基板保持枠に基板を取り付けた図である。
【図１５】図１４のＹ−Ｙ断面図である。
【図１６】本発明の実施の形態３に係る空気調和機の室外機の基板保持枠に基板を取り付ける際に用いられる基板押さえ具の斜視図及び側面図である。
【図１７】本発明の実施の形態３に係る空気調和機の室外機の基板保持枠に基板を取り付けた図である。
【図１８】図１７のＺ−Ｚ断面図である。
【図１９】本発明の実施の形態３に係る空気調和機の室外機の基板保持枠に基板を取り付けた図である。
【図２０】図１９の要部拡大図である。
【発明を実施するための形態】
【０００９】
以下、本発明の実施の形態を図面に基づいて説明する。なお、以下に説明する実施の形態によって本発明が限定されるものではない。また、以下の図面では各構成部材の大きさの関係が実際のものとは異なる場合がある。
実施の形態１．
図１は、本発明の実施の形態１に係る空気調和機の室外機の内部を示す斜視図である。
図１において、空気調和機の室外機の内部は、底板１１上に設けられたセパレータ１０により仕切られ、送風機室５と機械室９とで構成されている。
【００１０】
送風機室５には、Ｌ字曲げ熱交換器１、プロペラファン２、プロペラファン２が取り付けられたモータ３、及びモータ３を保持するモータサポート４が収容されている。
プロペラファン２が動作することにより、例えば室外機の側板と背面パネルとに設けられた図示省略の吸込口から空気が内部に流入し、その空気は、プロペラファン２によって前面に設けられた図示省略の吹出口から室外機の前方に流出する。その際、例えば冷房運転時において、Ｌ字曲げ熱交換器１内の冷媒は流入した空気によって冷却され、Ｌ字曲げ熱交換器１を通過した空気は冷媒と熱交換することで加熱される。
【００１１】
機械室９には、圧縮機６及び冷媒配管７が収容されている。
例えば冷房運転時において、室内機から送られた冷媒は圧縮機６において圧縮され、冷媒配管７を通ってＬ字曲げ熱交換器１に送られる。
【００１２】
また、セパレータ１０の上端には電気品箱８が、送風機室５と機械室９とにまたがって設けられている。
【００１３】
図２は、本発明の実施の形態１に係る空気調和機の室外機の電気品箱８の構成図である。
図２において、電気品箱８は、基板サイズが長辺、短辺共に一番大きい最大サイズの基板１２ａ、または、基板サイズが長辺は基板１２ａと同じであるが、短辺は基板１２ａよりも小さい基板１２ｂ、または、基板サイズが短辺は基板１２ａと同じであるが、長辺は基板１２ａよりも小さい基板１２ｃを、部品実装面を下向きにかつ水平で、下方向から取り付けられる構造の基板保持枠１３と、基板１２ａ、または基板１２ｂ、または１２ｃ上のトランジスタやダイオードなどの電子部品に当接するようにして、基板１２ａ、または基板１２ｂ、または１２ｃに各々ネジ（図示せず）で固定されたヒートシンク１４を支持するヒートシンクサポート１５と、基板保持枠１３の上面部及び基板１２ａ、または基板１２ｂ、または１２ｃの反部品実装面側を覆うカバー１６と、を備えている。
【００１４】
なお、後述するが、電気品箱８の基板保持枠１３には、基板１２サイズが長辺、短辺共に基板１２ａより小さい基板１２ｄ（図７参照）も同様に取り付けることができる。
また、以下、基板１２ａ〜１２ｄに限定しない基板の総称を基板１２とする。
また、電気品箱８の基板保持枠１３に取り付けられる基板１２は機種によってサイズが異なるが、各機種に搭載される基板１２は１枚であり、長辺及び短辺のサイズを変えることで、基板１２を使い分けている。
【００１５】
図３は、本発明の実施の形態１に係る空気調和機の室外機の基板保持枠１３の平面図である。
基板保持枠１３は、その内壁面が複数の種類の基板１２の内、最大サイズの基板１２ａが挿入可能に形成されている。また、短辺１３ｃの内壁面から他方の短辺１３ｄの内壁面に向かって延びている縦桟ガイド２０ａ、及び、長辺１３ａの内壁面から他方の長辺１３ｂの内壁面に向かって延びている横桟ガイド２０ｂが、それぞれ数本形成されている。そして、各縦桟ガイド２０ａと各横桟ガイド２０ｂとの組み合わせパターンの種類だけ、異なるサイズの基板１２を取り付けられるようになっている。
【００１６】
縦桟ガイド２０ａは、基板保持枠１３の長辺１３ｂの内壁面に最大サイズの基板１２ａよりも短辺が小さい基板１２の一方の長辺を当接させたときに、他方の長辺に対応する位置に設けられており、基板１２の短辺の各サイズに対応した位置に設けられている。
また、横桟ガイド２０ｂは、基板保持枠１３の短辺１３ｄの内壁面に最大サイズの基板１２ａよりも長辺が小さい基板１２の一方の短辺を当接させたときに、他方の短辺に対応する位置に設けられており、基板１２の長辺の各サイズに対応した位置に設けられている。
【００１７】
なお、縦桟ガイド２０ａは高さ（図３の紙面直交方向）を有しており、基板保持枠１３に基板１２を取り付けた際に、縦桟ガイド２０ａは基板１２の長辺に沿って反部品実装面と当接するようになっている。これは、後述するが、基板１２を挟み込んで固定するため、かつ小動物、虫などが侵入するのを防ぐためである。
【００１８】
また、基板保持枠１３は、長辺１３ａにネジ穴２１ａ〜２１ｃが、短辺１３ｄにネジ穴２１ｄが、それぞれ形成されている。また、長辺１３ｂの内壁面には、内側に向かって突出した基板保持部２２ａ〜２２ｄが設けられている。基板保持部２２ａと基板保持部２２ｂ、及び基板保持部２２ｃと基板保持部２２ｄは、それぞれ上下方向（図３の紙面直交方向）に基板１２の厚さ分ずらして設けられている。そのため、基板保持枠１３に基板１２を配置する際、基板１２の一方の長辺及び一方の短辺を、長辺１３ｂの内壁面及び短辺１３ｄの内壁面にそれぞれ当接させるが、その際に基板保持部２２ａ〜２２ｄで基板１２の長辺の一部を挟み込んで保持することができる。
【００１９】
図４は、本発明の実施の形態１に係る空気調和機の室外機の基板保持枠１３に基板１２ａを配置した図、図５は、本発明の実施の形態１に係る空気調和機の室外機の基板保持枠１３に基板１２ｂを配置した図、図６は、本発明の実施の形態１に係る空気調和機の室外機の基板保持枠１３に基板１２ｃを配置した図、図７は、本発明の実施の形態１に係る空気調和機の室外機の基板保持枠１３に基板１２ｄを配置した図である。
図４に示すように、基板保持枠１３に基板１２ａを配置した際は、基板１２ａと長辺１３ａ、１３ｂ、及び短辺１３ｃ、１３ｄとの間にほとんどスペースが生じない。
【００２０】
しかし、図５〜図７に示すように、基板１２ｂ〜１２ｄを配置した際は、長手方向、短手方向、またはその両方にスペースが生じる。
そして、基板１２ｂを配置した際は、図５に示すように基板１２ｂの一方の長辺に、基板保持枠１３の長辺１３ａに一番近い縦桟ガイド２０ａが位置するようになっている。
また、基板１２ｃを配置した際は、図６に示すように基板１２ｃの一方の長辺に、基板保持枠１３の短辺１３ｃに一番近い横桟ガイド２０ｂが位置するようになっている。
また、基板１２ｄを配置した際は、図７に示すように基板１２ｄの一方の長辺に、基板保持枠１３の長辺１３ａに一番近い縦桟ガイド２０ａが位置し、基板１２ｄの一方の短辺に、基板保持枠１３の短辺１３ｃに一番近い横桟ガイド２０ｂが位置するようになっている。
【００２１】
図８は、本発明の実施の形態１に係る空気調和機の室外機の基板保持枠１３に基板１２を取り付ける際に用いられる基板押さえ具１７の斜視図及び側面図、図９は、本発明の実施の形態１に係る空気調和機の室外機の基板保持枠１３に基板１２ｂを取り付けた図、図１０は、図９の要部拡大図、図１１は、図９のＺ−Ｚ断面図である。なお、図８において、（Ａ）は基板押さえ具１７の斜視図を、（Ｂ）は基板押さえ具１７の側面図を、それぞれ示している。
本実施の形態１では、基板保持枠１３に基板１２を取り付ける際、図８に示す基板押さえ具１７を用いる。
基板押さえ具１７は、図８に示すように、持ちやすくするためのツマミ１７ａと、基板保持枠１３にネジ固定するためのネジ穴１７ｂと、及び基板１２を固定する固定面１７ｃと、を備えている。
【００２２】
次に、基板保持枠１３に基板１２ｂを取り付ける方法について説明する。
図９及び図１０に示すように基板保持枠１３に基板１２ｂを配置した後、基板押さえ具１７の固定面１７ｃを基板保持枠１３の内側に向け、基板保持枠１３のネジ穴２１ｂに基板押さえ具１７のネジ穴１７ｂを合わせ、ネジ止めする。すると、図１１に示すように、基板押さえ具１７の固定面１７ｃと縦桟ガイド２０ａとで、基板１２ｂにその両面を挟み込む力が加わり、基板１２ｂを固定する。そして、図９及び図１０に示すように、さらに基板１２ｂに形成されたネジ穴２３ａと基板保持枠１３のネジ穴２１ｄ（図３参照）とを合わせ、ネジ止めする。これは、基板１２の固定が一箇所のみだと、装置の搬送中の振動などによって基板１２にひねりや回転が生じ、基板１２が基板保持枠１３の取り付け位置からずれてしまうため、それを抑制するためである。
【００２３】
ここで、空気調和機の室外機を室外に設置した場合など、室外機に小動物、虫などが侵入し、さらに基板１２と縦桟ガイド２０ａ（または横桟ガイド２０ｂ）との間の隙間から基板１２の部品実装面上に侵入して基板１２がショートするという問題があった。しかし、縦桟ガイド２０ａは高さを有しており、基板１２の長辺に沿って反部品実装面と当接しているため、縦桟ガイド２０ａが壁となって基板保持枠１３の短手方向から基板１２の部品実装面上に侵入するのを防ぐことができる。
【００２４】
図１２は、本発明の実施の形態１に係る空気調和機の室外機の電気品箱８の断面図である。
なお、横桟ガイド２０ｂについても小動物、虫などの侵入を防ぐために高くするのは同様であるが、本実施の形態１では、図１２に示すように基板保持枠１３の短辺１３ｃ側にヒートシンクサポート１５が設けられている。また、他方の短辺１３ｄの内面壁に基板１２の短辺が当接しているため、基板保持枠１３の短辺１３ｄ側と基板１２との間に隙間は生じない。そのため、基板保持枠１３の長手方向からは小動物、虫などが侵入しない構造となっており、縦桟ガイド２０ａのように高くする必要がない。
【００２５】
また、小動物、虫などが侵入することを考えなければ、縦桟ガイド２０ａにおいて、基板押さえ具１７を基板保持枠１３に取り付けた際に、基板押さえ具１７と対向する部分（基板１２を挟み込む部分）のみ高くするのでもよい。
【００２６】
図１３は、本発明の実施の形態１に係る空気調和機の室外機の基板保持枠１３に基板１２を配置する際の概略図である。
基板保持枠１３に基板１２を配置する際、縦桟ガイド２０ａ及び横桟ガイド２０ｂ側には、反部品実装面が位置するが、その反部品実装面に部品１９が実装されたり、部品実装面に実装された部品１９の足が反部品実装面側から突出していたりする場合も考えられる。
【００２７】
例えば基板保持枠１３に基板１２ａを取り付けようとする場合、図１３に示すように、縦桟ガイド２０ａは基板１２ａの反部品実装面と当接する高さを有しているため、基板保持枠１３に基板１２ａを配置する際、縦桟ガイド２０ａが位置する部分の反部品実装面に部品１９が実装されていると（または、反部品実装面から部品１９の足が突出していると）、それが縦桟ガイド２０ａにぶつかってしまい、基板保持枠１３に基板１２ａを取り付けることができない。
【００２８】
そのため、基板１２ａにおいて、少なくとも縦桟ガイド２０ａの高さを有する部分と対向する位置は、両面共に部品実装不可範囲（基板１２ａにおいて、部品１９を実装することができない範囲）とする。ただし、基板１２ａの縦桟ガイド２０ａの高さを有する部分と対向する位置の両面のみを部品実装不可範囲とすると、設計が面倒となるため、縦桟ガイド２０ａと対向する部分全てを部品実装不可範囲とする方がよい。なお、基板１２ａを例に説明したが、それ以外の基板１２についても同様である。
【００２９】
以上のように、基板保持枠１３に基板１２を取り付ける際に基板押さえ具１７を用い、その基板押さえ具１７を基板保持枠１３にネジ止めする際に、基板押さえ具１７の固定面１７ｃと縦桟ガイド２０ａとで、基板１２ｂにその両面を挟み込む力が加わり、基板１２ｂを固定することができる。そのため、長辺のサイズだけでなく、短辺のサイズが異なる基板１２であっても基板保持枠１３に取り付けることができる。
【００３０】
実施の形態２．
図１４は、本発明の実施の形態２に係る空気調和機の室外機の基板保持枠１３に基板１２ｃを取り付けた図、図１５は、図１４のＹ−Ｙ断面図である。
以下、本実施の形態２について説明するが、本実施の形態１と重複するものについては省略する。
本実施の形態１では、基板保持枠１３の長辺１３ａに形成されたネジ穴２１ｂに基板押さえ具１７をネジ止めし、基板１２を固定しているが、本実施の形態２では、図１４に示すように短辺１３ｃにネジ穴を形成し、そのネジ穴に基板押さえ具１７をネジ止めし、基板１２を固定する。
【００３１】
すると、図１５に示すように、基板押さえ具１７の固定面１７ｃと横桟ガイド２０ｂとで、基板１２ｃにその両面を挟み込む力が加わり、基板１２ｃを固定する。そして、図１４に示すように、さらに基板１２ｃに形成されたネジ穴２３ａと基板保持枠１３のネジ穴２１ｄ（図３参照）とを合わせ、ネジ止めする。
ただし、この場合、横桟ガイド２０ｂにおいて、基板押さえ具１７を基板保持枠１３にネジ止めした際に、少なくとも基板押さえ具１７と対向する部分（基板１２を挟み込む部分）を、基板１２を挟み込めるように反部品実装面と当接する位置まで高くする必要がある。
【００３２】
実施の形態３．
図１６は、本発明の実施の形態３に係る空気調和機の室外機の基板保持枠１３に基板１２を取り付ける際に用いられる基板押さえ具１８の斜視図及び側面図、図１７は、本発明の実施の形態３に係る空気調和機の室外機の基板保持枠１３に基板１２ｂを取り付けた図、図１８は、図１７のＺ−Ｚ断面図である。なお、図１６において、（Ａ）は基板押さえ具１８の斜視図を、（Ｂ）は基板押さえ具１８の側面図を、それぞれ示している。
以下、本実施の形態３について説明するが、本実施の形態１及び２と重複するものについては省略する。
本実施の形態３に係る基板押さえ具１８は、図１６に示すように固定面１７ｃ側に基板位置決めリブ１７ｄが設けられている。
【００３３】
図１７及び図１８に示すように、基板押さえ具１８を基板保持枠１３のネジ穴２１ｂにネジ止めして基板１２ｂを固定する際に、基板押さえ具１８の固定面１７ｃと縦桟ガイド２０ａとで、基板１２ｂにその両面を挟み込む力が加わり、基板１２ｂを固定することができる。さらに、基板位置決めリブ１７ｄが基板１２ｂの長辺の一部と当接するため、基板１２ｂの短手方向の動きを抑制することができる。そして、図１７に示すように、さらに基板１２ｂに形成されたネジ穴２３ａと基板保持枠１３のネジ穴２１ｄ（図３参照）とを合わせ、ネジ止めする。
【００３４】
図１９は、本発明の実施の形態３に係る空気調和機の室外機の基板保持枠１３に基板１２ａを取り付けた図、図２０は、図１９の要部拡大図である。
本実施の形態３に係る基板押さえ具１８は、基板位置決めリブ１７ｄが設けられているため、基板１２ａを取り付ける際にも基板保持枠１３のネジ穴２１ｂにネジ止めしようとすると、基板位置決めリブ１７ｄと基板１２ａの部品実装面とがぶつかってしまい、基板押さえ具１８を取り付けることができない。
【００３５】
そこで、図１９及び図２０に示すように基板押さえ具１８をネジ穴２１ｃ（図３参照）にネジ止めする。その際に、基板位置決めリブ１７ｄを短辺１３ｄ側に向ける。そうすることで、基板保持枠１３の角部と基板押さえ具１７とで基板１２ａの角部を挟み込む力が加わり、基板１２ｂを固定することができる。さらに、基板位置決めリブ１７ｄが基板１２ａの短辺の一部と当接するため、基板１２ａの長手方向の動きを抑制することができる。そして、図１９及び図２０に示すように、さらに基板１２ａに形成されたネジ穴２３ｂと基板保持枠１３のネジ穴２１ａ（図３参照）とを合わせ、ネジ止めする。
【００３６】
なお、本実施の形態１〜３では、サイズの異なる４種類の基板１２ａ〜１２ｄを用いて説明したが、基板１２のサイズはこれらに限定されるものではない。
また、基板押さえ具１７（または基板押さえ具１８）は、基板１２のサイズに応じてネジ穴１７ｂから固定面１７ｃ（及び基板位置決めリブ１７ｄ）までの長さを変えることが考えられる。
また、基板保持枠１３の長辺１３ａ及び短辺１３ｃの両方にネジ穴を形成し、それぞれのネジ穴に基板押さえ具１７（または基板押さえ具１８）をネジ止めし、基板１２を固定してもよい。
【符号の説明】
【００３７】
１  Ｌ字曲げ熱交換器、２  プロペラファン、３  モータ、４  モータサポート、５  送風機室、６  圧縮機、７  冷媒配管、８  電気品箱、９  機械室、１０  セパレータ、１１  底板、１２  基板、１２ａ  基板、１２ｂ  基板、１２ｃ  基板、１２ｄ  基板、１３  基板保持枠、１３ａ  長辺、１３ｂ  長辺、１３ｃ  短辺、１３ｄ  短辺、１４  ヒートシンク、１５  ヒートシンクサポート、１６  カバー、１７  基板押さえ具、１７ａ  ツマミ、１７ｂ  ネジ穴、１７ｃ  固定面、１７ｄ  基板位置決めリブ、１８  基板押さえ具、１９  部品、２０ａ  縦桟ガイド、２０ｂ  横桟ガイド、２１ａ  （基板保持枠の）ネジ穴、２１ｂ  （基板保持枠の）ネジ穴、２１ｃ  （基板保持枠の）ネジ穴、２１ｄ  （基板保持枠の）ネジ穴、２２ａ  基板保持部、２２ｂ  基板保持部、２２ｃ  基板保持部、２２ｄ  基板保持部、２３ａ  （基板の）ネジ穴、２３ｂ  （基板の）ネジ穴。
【図１】
0005980189.tif 000002
【図２】
0005980189.tif 000003
【図３】
0005980189.tif 000004
【図４】
0005980189.tif 000005
【図５】
0005980189.tif 000006
【図６】
0005980189.tif 000007
【図７】
0005980189.tif 000008
【図８】
0005980189.tif 000009
【図９】
0005980189.tif 000010
【図１０】
0005980189.tif 000011
【図１１】
0005980189.tif 000012
【図１２】
0005980189.tif 000013
【図１３】
0005980189.tif 000014
【図１４】
0005980189.tif 000015
【図１５】
0005980189.tif 000016
【図１６】
0005980189.tif 000017
【図１７】
0005980189.tif 000018
【図１８】
0005980189.tif 000019
【図１９】
0005980189.tif 000020
【図２０】
0005980189.tif 000021